Podtech/llm-jp-corpus-v4-ja_patent huggingface dataset:
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
発振用増幅回路を備える高周波用電圧制御発振回路において、
前記発振用増幅回路の帰還ループに、３次以上の奇数のπ型ローパスフィルタと、当該ローパスフィルタの出力側に直列に接続された容量性可変リアクタンス素子の第１のダイオードと当該ローパスフィルタの入力側に直列に接続された容量性可変リアクタンス素子の第２のダイオードとを有する移相回路を設け、
前記ローパスフィルタは、前記帰還ループに直列に接続する誘導性リアクタンス素子のコイルと、当該誘導性リアクタンス素子の出力側に並列に接続された容量性可変リアクタンス素子の第４のダイオードと当該誘導性リアクタンス素子の入力側に並列に接続された容量性可変リアクタンス素子の第５のダイオードとを備えることを特徴とする高周波用電圧制御発振回路。
【請求項２】
移相回路における容量性可変リアクタンス素子をバリキャップとしたことを特徴とする請求項１記載の高周波用電圧制御発振回路。
【請求項３】
ローパスフィルタにおける容量性可変リアクタンス素子をバリキャップとしたことを特徴とする請求項１記載の高周波用電圧制御発振回路。
【請求項４】
ローパスフィルタにおける誘導性リアクタンス素子をマイクロストリップラインで形成したことを特徴とする請求項１乃至３のいずれか記載の高周波用電圧制御発振回路。
【請求項５】
マイクロストリップラインの形状を、馬蹄形状、ドーナッツ形状、４５度のベント処理されたコの字形状としたことを特徴とする請求項４記載の高周波用電圧制御発振回路。
【手続補正２】
【補正対象書類名】明細書
【補正対象項目名】００１６
【補正方法】変更
【補正の内容】
【００１６】
上記従来例の問題点を解決するための本発明は、発振用増幅回路を備える高周波用電圧制御発振回路において、発振用増幅回路の帰還ループに、３次以上の奇数のπ型ローパスフィルタと、当該ローパスフィルタの出力側に直列に接続された容量性可変リアクタンス素子の第１のダイオードと当該ローパスフィルタの入力側に直列に接続された容量性可変リアクタンス素子の第２のダイオードとを有する移相回路を設け、ローパスフィルタが、帰還ループに直列に接続する誘導性リアクタンス素子のコイルと、当該誘導性リアクタンス素子の出力側に並列に接続された容量性可変リアクタンス素子の第４のダイオードと当該誘導性リアクタンス素子の入力側に並列に接続された容量性可変リアクタンス素子の第５のダイオードとを備えることを特徴とする。
【手続補正３】
【補正対象書類名】明細書
【補正対象項目名】００２１
【補正方法】変更
【補正の内容】
【００２１】
本発明によれば、発振用増幅回路の帰還ループに、３次以上の奇数のπ型ローパスフィルタと、当該ローパスフィルタの出力側に直列に接続された容量性可変リアクタンス素子の第１のダイオードと当該ローパスフィルタの入力側に直列に接続された容量性可変リアクタンス素子の第２のダイオードとを有する移相回路を設け、ローパスフィルタが、帰還ループに直列に接続する誘導性リアクタンス素子のコイルと、当該誘導性リアクタンス素子の出力側に並列に接続された容量性可変リアクタンス素子の第４のダイオードと当該誘導性リアクタンス素子の入力側に並列に接続された容量性可変リアクタンス素子の第５のダイオードとを備える高周波用電圧制御発振回路としているので、容量性可変リアクタンス素子での容量の制御によりバンドパスフィルタのような特性にできて、異常発振を抑制し、位相雑音を改善できると共に、簡易な構成で調整が容易な回路を実現できる効果がある。
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
入力ポート及び出力ポートの内、少なくともいずれかが複数である光スイッチと、
少なくとも１つの入力ポート及び複数の出力ポートを有し、前記光スイッチの出力ポートと光学的に接続された波長分波器と、
前記波長分波器の出力ポートに実装されたフォトダイオードアレイ（ＰＤアレイ）と
を備えたことを特徴とする光信号モニタ装置。
【請求項２】
前記波長分波器の出力ポートと前記ＰＤアレイが光路変換ミラーを介して実装されていることを特徴とする請求項１に記載の光信号モニタ装置。
【請求項３】
前記ＰＤアレイを構成する複数のＰＤが、所定の波長チャンネル間隔で前記波長分波器の出力ポートと光学的に接続されていることを特徴とする請求項１又は請求項２に記載の光信号モニタ装置。
【請求項４】
前記ＰＤアレイを構成する複数のＰＤ間に、機能しないＰＤが配置されていることを特徴とする請求項３に記載の光信号モニタ装置。
【請求項５】
複数の波長信号が多重化されたＷＤＭ信号を複数の箇所でモニタする構成を有する光システムであって、
各モニタ箇所においてＷＤＭ信号の一部を分岐する複数の分岐部と、
前記複数の分岐部とそれぞれ光学的に接続された請求項１乃至４のいずれかに記載の光信号モニタ装置と
を備えたことを特徴とする光システム。
【手続補正２】
【補正対象書類名】明細書
【補正対象項目名】００１４
【補正方法】変更
【補正の内容】
【００１４】
このような目的を達成するために、請求項１に記載の発明は、光信号モニタ装置において、入力ポート及び出力ポートの内、少なくともいずれかが複数である光スイッチと、少なくとも１つの入力ポート及び複数の出力ポートを有し、前記光スイッチの出力ポートと光学的に接続された波長分波器と、前記波長分波器の出力ポートに実装されたフォトダイオードアレイ（ＰＤアレイ）とを備えたことを特徴とする。
【手続補正３】
【補正対象書類名】明細書
【補正対象項目名】００１５
【補正方法】変更
【補正の内容】
【００１５】
請求項２に記載の発明は、請求項１に記載の光信号モニタ装置において、前記波長分波器の出力ポートと前記ＰＤアレイが光路変換ミラーを介して実装されていることを特徴とする。
【手続補正４】
【補正対象書類名】明細書
【補正対象項目名】００１６
【補正方法】変更
【補正の内容】
【００１６】
請求項３に記載の発明は、請求項１又は請求項２に記載の光信号モニタ装置において、前記ＰＤアレイを構成する複数のＰＤが、所定の波長チャンネル間隔で前記波長分波器の出力ポートと光学的に接続されていることを特徴とする。
【手続補正５】
【補正対象書類名】明細書
【補正対象項目名】００１７
【補正方法】変更
【補正の内容】
【００１７】
請求項４に記載の発明は、請求項３に記載の光信号モニタ装置において、前記ＰＤアレイを構成する複数のＰＤ間に、機能しないＰＤが配置されていることを特徴とする。
【手続補正６】
【補正対象書類名】明細書
【補正対象項目名】００１８
【補正方法】変更
【補正の内容】
【００１８】
請求項５に記載の発明は、光システムにおいて、複数の波長信号が多重化されたＷＤＭ信号を複数の箇所でモニタする構成を有する光システムであって、各モニタ箇所においてＷＤＭ信号の一部を分岐する複数の分岐部と、前記複数の分岐部とそれぞれ光学的に接続された請求項１乃至４のいずれかに記載の光信号モニタ装置とを備えたことを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００６６
【補正方法】変更
【補正の内容】
【００６６】
図２０の表５は、出力ポート側において、実質的に機能する出力ポート２２の一部にスキップした配置がある場合であり、一方図２１の表６は、実質的に機能する入力ポート２１と出力ポート２２との両方にスキップした配置が有る場合を示している。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
番組情報を取得する取得手段と、
前記取得手段で取得された番組情報に基づいて電子番組表を作成する作成手段と、
前記作成手段で作成された電子番組表を画面上で移動可能に表示させる表示手段と、
前記表示手段で表示された電子番組表について、まだ番組情報が配信されていない日時に対応する部分が画面上に表示されるように移動させることが要求されたことを検出する検出手段と、
前記検出手段の検出結果に基づいて番組情報が存在しない旨を通知する通知手段とを具備することを特徴とする番組表表示装置。
【請求項２】
前記通知手段は、前記表示手段で表示された電子番組表について、要求された日時に対応する領域への移動ができない旨の通知を行なうことを特徴とする請求項１記載の番組表表示装置。
【請求項３】
前記通知手段は、映像及び音声のいずれかによる通知を行なうことを特徴とする請求項１記載の番組表表示装置。
【請求項４】
前記検出手段は、前記取得手段で取得された番組情報に基づいて、前記作成手段で作成される電子番組表の日時範囲を決定し、この決定された日時範囲と要求された日時とに基づいて検出を行なうことを特徴とする請求項１記載の番組表表示装置。
【請求項５】
前記取得手段で取得された番組情報に基づいて形成された、日付軸と時間軸とでなる特定の日時範囲を示す面を、日付単位及び所定時間単位で分割することによって複数の単位指定領域を配列した日時指定切換画面を表示させる指定画面表示手段と、
前記指定画面表示手段で表示された日時指定切換画面上で所定の単位指定領域を選択可能とする選択手段と、
前記選択手段で選択された単位指定領域で指定される日時に対応する部分の前記電子番組表を画面表示させる表示制御手段と、
前記日時指定切換画面内の日付単位で分割された各領域のうち、まだ番組情報が配信されていない日時に対応する部分に、番組情報が存在しない旨を表示する通知表示手段とを具備することを特徴とする請求項１記載の番組表表示装置。
【請求項６】
番組情報を取得する取得手段と、
前記取得手段で取得された番組情報に基づいて電子番組表を作成する作成手段と、
前記作成手段で作成された電子番組表を画面上で移動可能となるように表示させる表示制御手段と、
前記表示制御手段により表示される電子番組表について、まだ番組情報が配信されていない日時に対応する部分を画面上に表示するように移動させることが要求されたことを検出する検出手段と、
前記検出手段の検出結果に基づいて番組情報が存在しない旨を通知する通知手段とを具備することを特徴とする番組表表示装置。
【請求項７】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて電子番組表を作成する作成手段と、
前記作成手段で作成された電子番組表を画面上で移動可能に表示させる表示手段と、
前記表示手段で表示された電子番組表について、まだ番組情報が配信されていない日時に対応する部分が画面上に表示されるように移動させることが要求されたことを検出する検出手段と、
前記検出手段の検出結果に基づいて番組情報が存在しない旨を通知する通知手段とを具備することを特徴とする放送受信装置。
【請求項８】
番組情報を取得する第１の工程と、
前記第１の工程で取得された番組情報に基づいて電子番組表を作成する第２の工程と、
前記第２の工程で作成された電子番組表を画面上で移動可能に表示させる第３の工程と、
前記第１の工程で取得された番組情報に基づいて、前記第２の工程で作成される電子番組表の日時範囲を決定する第４の工程と、
前記第４の工程で決定された日時範囲に基づいて、前記第３の工程で表示された電子番組表について、まだ番組情報が配信されていない日時に対応する部分が画面上に表示されるように移動させることが要求されたことを検出する第５の工程と、
前記第５の工程の検出結果に基づいて番組情報が存在しない旨を通知する第６の工程とを具備することを特徴とする番組表表示方法。
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
受信機との間で所定数のサブキャリアからなるサブキャリア群を複数用いて無線通信が可能な送信機における無線通信方法であって、
上記受信機に対してパイロット信号を送信するステップと、
上記受信機から各サブキャリアの伝搬状態を受信するステップと、
上記受信機へのデータ送信に使用する一のサブキャリア群を選択するステップと、
上記一のサブキャリア群の伝搬状態に応じて、上記一のサブキャリア群に適用する変調方式を決定するステップと、
上記伝搬状態に応じて、上記一のサブキャリア群で送信するパケット数として２個以上を決定するステップと、
上記一のサブキャリア群に適用される変調方式を用いて、該一のサブキャリア群で送信される上記２個以上のパケットを変調し、該変調された２個以上のパケットを上記一のサブキャリア群で同時に送信するステップと
を備えることを特徴とする無線通信方法。
【請求項２】
受信機との間で所定数のサブキャリアからなるサブキャリア群を複数用いて無線通信が可能な送信機であって、
上記受信機に対してパイロット信号を送信する送信手段と、
上記受信機から各サブキャリアの伝搬状態を受信する受信手段と、
上記受信機へのデータ送信に使用する一のサブキャリア群を選択する選択手段と、
上記一のサブキャリア群の伝搬状態に応じて、上記一のサブキャリア群に適用する変調方式を決定する変調方式決定手段と、
上記伝搬状態に応じて、上記一のサブキャリア群で送信するパケット数として２個以上を決定するパケット数決定手段と、
上記一のサブキャリア群に適用される変調方式を用いて、該一のサブキャリア群で送信される上記２個以上のパケットを変調し、該変調された２個以上のパケットを上記一のサブキャリア群で同時に送信する送信手段と
を備えることを特徴とする送信機。
【手続補正２】
【補正対象書類名】明細書
【補正対象項目名】発明の名称
【補正方法】変更
【補正の内容】
【発明の名称】無線通信方法および送信機
【手続補正３】
【補正対象書類名】明細書
【補正対象項目名】００１６
【補正方法】変更
【補正の内容】
【００１６】
この発明に係る無線通信方法は、受信機との間で所定数のサブキャリアからなるサブキャリア群を複数用いて無線通信が可能な送信機における無線通信方法であって、受信機に対してパイロット信号を送信するステップと、受信機から各サブキャリアの伝搬状態を受信するステップと、受信機へのデータ送信に使用する一のサブキャリア群を選択するステップと、一のサブキャリア群の伝搬状態に応じて、一のサブキャリア群に適用する変調方式を決定するステップと、伝搬状態に応じて、一のサブキャリア群で送信するパケット数として２個以上を決定するステップと、一のサブキャリア群に適用される変調方式を用いて、一のサブキャリア群で送信される２個以上のパケットを変調し、変調された２個以上のパケットを一のサブキャリア群で同時に送信するステップとを備えたものである。
【手続補正４】
【補正対象書類名】明細書
【補正対象項目名】００１７
【補正方法】変更
【補正の内容】
【００１７】
この発明によれば、受信機との間で所定数のサブキャリアからなるサブキャリア群を複数用いて無線通信が可能な送信機における無線通信方法であって、受信機に対してパイロット信号を送信するステップと、受信機から各サブキャリアの伝搬状態を受信するステップと、受信機へのデータ送信に使用する一のサブキャリア群を選択するステップと、一のサブキャリア群の伝搬状態に応じて、一のサブキャリア群に適用する変調方式を決定するステップと、伝搬状態に応じて、一のサブキャリア群で送信するパケット数として２個以上を決定するステップと、一のサブキャリア群に適用される変調方式を用いて、一のサブキャリア群で送信される２個以上のパケットを変調し、変調された２個以上のパケットを一のサブキャリア群で同時に送信するステップとを備えるように構成したので、データ品質の劣化を招くことなく、データの伝送効率を高めることができる効果がある。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
遊技球が入球可能な入球口、及び可変入球口と、
前記入球口に遊技球が入球したことに基づいて抽選を行う抽選手段と、
前記抽選手段による抽選が当選結果となったことに基づいて、前記可変入球口を開閉状態とすることで特定遊技状態を現出させる遊技状態制御手段と、
前記抽選手段による抽選が当選結果となった場合に、前記特定遊技状態後の遊技状態を、前記抽選手段による抽選が所定の確率で当選結果となる通常確率状態、又は前記通常確率状態よりも高い確率で当選結果となる高確率状態のうち何れにするかを抽選する確率状態抽選手段とを備え、
前記遊技状態制御手段は、
前記特定遊技状態の後の遊技状態が前記確率状態抽選手段による抽選の結果に基づいて前記通常確率状態とされる場合及び前記高確率状態とされる場合で同等の条件により前記可変入球口が開閉状態とされる共通区間と、
前記共通区間に続く区間であって、前記特定遊技状態の後の遊技状態が前記確率状態抽選手段による抽選の結果に基づいて前記通常確率状態とされる場合及び前記高確率状態とされる場合で異なる前記可変入球口の開閉状態とされる非共通区間とを有する態様に、前記特定遊技状態を制御する
ことを特徴とする遊技機。
【手続補正書】
【提出日】平成20年11月26日(2008.11.26)
【手続補正１】
【補正対象書類名】明細書
【補正対象項目名】０００８
【補正方法】変更
【補正の内容】
【０００８】
さらに、こうした補助的フィルム画像レセプターの利用はＸ線イメージング装置がフィルムベースの画像レセプターからディジタル画像表示に置き換わり、これによりフィルム、フィルム・カセッテ及びフィルム処理装置の利用可能度が低下するに連れて、益々困難になりつつある。
【特許文献１】米国特許第６４９４８２４号
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
発射手段により遊技球を打ち込む遊技領域である遊技盤を備えた遊技機において
光を出力する光出力手段と、
前記光出力手段から出力された光を内部で反射させ、所定の絵柄を表示面に出力表示する導光板と、
を含む導光板表示手段を備え、
前記導光板表示手段は、前記遊技盤を正面視した状態で当該遊技盤面の領域に含まれ、かつ、前記遊技盤面から離間して設けられた
ことを特徴とする遊技機。
【請求項２】
請求項１に記載の遊技機において、
前記遊技盤面を覆う前面枠を備え、
前記前面枠は、さらに前記遊技盤面と対向する部分に開口部が形成されており、当該開口部分に着脱可能なフレームに取り付け固定された透明な板材を備え、
前記導光板表示手段の表示面が前面側を向くように前記板材の表面または裏面に面接触または近接させて導光板表示手段を取り付けており、
前記導光板表示手段を構成する光出力手段は、前記前面枠の開口部の中心に向けて光を出力するように、光出力手段の周囲が被覆された状態で開口部の周縁に沿って配備されており、
前記導光板は、表示面が前面側に向くように前記板材の表面または裏面に密接するように取り付けられ、
前記導光板が前記前面枠に取り付けられたときに、前記光出力手段の光出力面が導光板の側面に密接または近接するように構成された
ことを特徴とする遊技機。
【請求項３】
請求項１に記載の遊技機において、
前記フレームには、前記遊技盤を正面視したときに所定の間隙をおいた状態で前後２枚の透明な板材が取り付け固定されており、
前記導光板表示手段を構成する手段のうち導光板を前記両板材の間隙に内装し、
前記導光板表示手段を構成する手段のうち光出力手段を前記フレームに内装し、
前記光出力手段から導出された電力供給線の先端の接続部材を前記遊技盤面に備わった本体側の接続部材に接続した
ことを特徴とする遊技機。
【請求項４】
請求項１から３のいずれか一つに記載の遊技機において、
前記遊技盤に設けられた入賞手段に遊技球が入球したことのに基づいて遊技者にとって有利な状態である特別遊技状態になるか否かの抽選を行う抽選手段と、
前記抽選手段を含み遊技機を総括的に制御する主制御手段と、
前記遊技球が入賞手段に入球することに基づいて、識別情報を変動表示する表示手段と、
前記抽選手段の抽選の結果、特別遊技状態になる場合、前記導光板表示手段に遊技者を歓喜させる祝福の表示演出をさせる表示演出制御手段と、
を備えたことを特徴とする遊技機。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
遊技用媒体を用いて遊技を行う遊技機において、
所定の送信条件成立を判定する送信条件成立判定手段と、
前記送信条件成立判定手段での成立判定に基づいて、当該遊技機から遊技者の携帯する携帯情報機器に提供すべき提供情報を決定する提供情報決定手段と、
前記提供情報決定手段で決定された提供情報を、電磁波の信号形態で送信する送信手段と、
を備え、
前記送信条件成立判定手段は、当該遊技機が所定状態となることに基づいて所定の送信条件成立を判定する
ことを特徴とする遊技機。
【請求項２】
請求項１に記載の遊技機において、
前記送信手段は、可視光を出力する発光部と、前記発光部の発光強度を所定の変調パターンで光強度変調制御する変調部とを備え、前記提供情報決定手段で決定された提供情報を、所定の変調パターンで可視光を光強度変調した信号形態で送信するものである
ことを特徴とする遊技機。
【請求項３】
請求項２に記載の遊技機において、
前記提供情報決定手段は、複数種類の提供情報を記憶する提供情報記憶手段を備え、前記送信条件成立判定手段での成立判定に基づいて、前記提供情報記憶手段に記憶された複数種類の提供情報の中から所定の一の提供情報を決定するものであり、
前記提供情報決定手段での複数種類の提供情報ごとに種類の異なる複数個の変調パターンを記憶する変調パターン記憶手段と、
前記提供情報決定手段で決定された提供情報に対応する、前記変調パターン記憶手段での所定の変調パターンを読み出す読み出し手段とを備え、
前記変調部は、前記読み出し手段で読み出された所定の変調パターンで、前記発光部の発光強度を光強度変調する
ことを特徴とする遊技機。
【請求項４】
請求項２または３に記載の遊技機において、
当該遊技機に配設され、かつ、遊技機が所定の状態となった場合に動作する部材であって、前記発光部を遮る遮光状態と前記発光部を露出する露出状態とに状態変化する動作を行う動作部材を備え、
前記送信手段は、前記動作部材が露出状態となっているときに提供情報の送信を行う
ことを特徴とする遊技機。
【請求項５】
請求項４に記載の遊技機において、
前記動作部材は、遊技者にとって有利な特定遊技状態の発生を示すための識別情報を変動表示する識別情報変動表示手段の周囲を飾りつける装飾部材の所定箇所に配設されている
ことを特徴とする遊技機。
【請求項６】
請求項４に記載の遊技機において、
遊技球の入球が可能な開放状態と、遊技球の入球が不可能な閉鎖状態とに可変する開閉部を有する可変入球手段を備え、
前記動作部材は、前記可変入球手段の前記開閉部であり、前記開閉部を閉鎖状態とすることで前記発光部を遮る遮光状態を形成し、前記開閉部を開放状態とすることで前記発光部を露出する露出状態を形成するものである
ことを特徴とする遊技機。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤を備えた遊技機において、
遊技領域の所定箇所に配設された、識別情報を変動表示する表示手段と、
前記表示手段の表示画面の周囲に設けられた装飾手段と、
を備え、
前記装飾手段は、当該装飾手段の上部側の所定箇所で前記遊技盤面よりも手前側に突出して配設された、遊技球が入球する入球口と、前記入球口に入球した遊技球を案内する案内通路部と、前記案内通路部を通って排出された遊技球が転動する転動面とを備え、前記転動面から遊技盤に向けて再び遊技球が出力されるようになっており、
前記案内通路部は、
前記入球口に入球した遊技球を前記遊技盤を正面視した状態で当該遊技盤面よりも奥側に向かわせる奥向き通路部と、
前記奥向き通路部に連通され、当該奥向き通路部からの遊技球を前記遊技盤を正面視した状態で当該遊技盤面よりも奥側を維持しつつ横方向に案内する横方向通路部と、
前記横方向通路部に連通され、当該横方向通路部からの遊技球を垂下させて前記転動面に案内する垂下通路部と
を備え、
前記装飾手段は、前記遊技盤を正面視した状態で前記横方向通路部の手前側で、当該横方向通路部に沿うように遊技球が流下可能な流下部を備えている
ことを特徴とする遊技機。
【請求項２】
請求項１に記載の遊技機において、
前記横方向通路部は、その内部を通過する遊技球が当該横方向通路部の所定箇所において視認可能な視認部を備えている
ことを特徴とする遊技機。
【請求項３】
請求項１または２に記載の遊技機において、
前記装飾手段は、前記表示手段の表示画面を正視可能なように刳り貫かれた開口部を備え、当該装飾手段を正面視した状態において、前記開口部の上端部と前記流下部との間に装飾部材を備えている
ことを特徴とする遊技機。
【請求項４】
請求項１から３のいずれか一つに記載の遊技機において、
前記入球口は、前記装飾手段を正面視した状態で当該装飾手段の中央または略中央でかつ上部側の所定箇所で、前記遊技盤面よりも手前側に突出して配設されたものであり、
前記横方向通路部は、前記奥向き通路部からの遊技球を、前記遊技盤を正面視した状態で当該遊技盤面よりも奥側を維持しつつ横方向に前記表示手段の側端を越える程度に案内するものである
ことを特徴とする遊技機。
【請求項５】
請求項１から４のいずれか一つに記載の遊技機において、
前記流下部における遊技球が通過する際に接触する底面と、この底面よりも高い位置にある前記装飾手段の上部との間隔は、少なくとも遊技球の直径よりも長くなっている
ことを特徴とする遊技機。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
複数の可動体を備え、該可動体が作動する演出を実行したあとには遊技者に有利な状態を付与するよう働きやすい遊技機であって、
第１演出パターンと第２演出パターンを記憶する演出パターン記憶手段と、
演出パターンを実行する演出パターン実行手段と、
前記複数の可動体に不具合が生じているか否かを判定する不具合判定手段と
を備え、
前記演出パターン実行手段は、電源投入時又はリセット時において、前記不具合判定手段により前記複数の可動体に不具合が生じていないと判定されたとき前記演出パターン記憶手段に記憶された第１演出パターンを実行する一方、前記複数の可動体に不具合が生じていると判定されたとき前記演出パターン記憶手段に記憶された第２演出パターンを実行することを特徴とする遊技機。
【請求項２】
前記第１演出パターンは、前記複数の可動体をすべて動作させる演出パターンであり、
前記第２演出パターンは、不具合が生じていない可動体のみを動作させる演出パターンであることを特徴とする請求項１に記載の遊技機。
【請求項３】
前記第２演出パターンは、特定の可動体が他の可動体と接触又は干渉しないよう該特定の可動体と該他の可動体とを動作させる演出パターンであることを特徴とする請求項２に記載の遊技機。
【手続補正２】
【補正対象書類名】明細書
【補正対象項目名】０００５
【補正方法】変更
【補正の内容】
【０００５】
請求項１の発明においては、遊技を開始するときに遊技者の遊技意欲を損なうことを防止することができる。請求項２の発明においては、どの可動体に不具合が生じていないか判断することができる。請求項３の発明においては、可動体の損傷を防ぐことができる。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域内に配置され前記遊技媒体が進入可能とされた始動口と、
前記始動口に進入した遊技媒体を検出する始動検出手段と、
前記始動口とは前記遊技領域内の異なる位置に配置され、前記始動検出手段による遊技媒体の検出に基づいて、前記遊技媒体が進入可能なように所定の開閉動作をする進入口と、
前記進入口に進入した遊技媒体を検出する進入検出手段と、
前記進入口に進入した遊技媒体を受入可能な当り口と、
前記当り口に遊技媒体が受入られると遊技者に所定の特典を付与する特典付与手段を少なくとも有する主基板と、
前記受入口側とは異なる位置に配置され、前記進入口に進入した遊技媒体を受け入れたとしても前記特典が付与されないハズレ口と、
前記進入口に進入し、前記ハズレ口に向かう遊技媒体を可動により押打して該遊技媒体の流れを変更可能な流路変更可動部、および、可動により所定の演出動作をする可動演出部を有し、前記遊技媒体が前記当り口に受け入れられるチャンスの到来を示唆しうる可動役物と、
を備え、
前記可動役物は、
少なくとも前記流路変更可動部の可動が前記主基板によって制御され、
前記流路変更可動部と前記可動演出部とが略一致するタイミングで可動するとともに、該流路変更可動部の動きと該可動演出部の動きとによって、特有のポーズをすることでチャンスの到来を示唆しうるキャラクタ体であって、
前記キャラクタ体が前記特有のポーズをすることで遊技者に該キャラクタ体に注目させて、前記遊技媒体が前記当り口に受け入れられるチャンスの到来を示唆しうるようにした
ことを特徴とする遊技機。
【請求項２】
前記可動役物は、
少なくとも顔部、腕部および足部を有し、身長が伸び縮みする方向にスライドするとともに、前記顔部、前記腕部および前記足部の全てが略一致するタイミングで可動することによって前記特有のポーズをすることによって、遊技者に前記キャラクタ体に注目させるようにした
ことを特徴とする請求項１に記載の遊技機。
【請求項３】
前記主基板から送信される制御コマンドに応じて、少なくとも前記可動役物の前記可動演出部の可動を制御する周辺基板をさらに備えることによって、前記主基板の負荷を高めることなく前記キャラクタ体に様々なポーズをさせることができるようにした
ことを特徴とする請求項１または２に記載の遊技機。
【手続補正２】
【補正対象書類名】明細書
【補正対象項目名】０００８
【補正方法】変更
【補正の内容】
【０００８】
請求項１に記載の遊技機は、遊技媒体が打ち込まれる遊技領域内に配置され前記遊技媒体が進入可能とされた始動口（第一始動入賞口９６、第二始動入賞口９７）と、前記始動口に進入した遊技媒体を検出する始動検出手段（第一始動口センサ３１８ａ、第二始動口センサ３１８ｂ）と、前記始動口とは前記遊技領域内の異なる位置に配置され、前記始動検出手段による遊技媒体の検出に基づいて、前記遊技媒体が進入可能なように所定の開閉動作をする進入口（役物用入賞口９２、一対の可動片４５６、リンク機構４７０、駆動軸４７１及びソレノイド３３１）と、前記進入口に進入した遊技媒体を検出する進入検出手段（カウントセンサ３１９）と、前記進入口に進入した遊技媒体を受入可能な当り口（大当り入賞口９３）と、前記受入口に遊技媒体が受入られると遊技者に所定の特典を付与する特典付与手段を少なくとも有する主基板（主基板３１０）と、前記受入口側とは異なる位置に配置され、前記進入口に進入した遊技媒体を受け入れたとしても前記特典が付与されないハズレ口（ハズレ入賞口９４）と、前記進入口に進入し、前記ハズレ口に向かう遊技媒体を可動により押打して該遊技媒体の流れを変更可能な流路変更可動部（足５３４および押打部５３１）、および、可動により所定の演出動作をする可動演出部（腕５４１および顔５４２）を有し、前記遊技媒体が前記当り口に受け入れられるチャンスの到来を示唆しうる可動役物（キャラクタ体５３３）と、を備え、前記可動役物は、少なくとも前記流路変更可動部の可動が前記主基板によって制御され、前記流路変更可動部と前記可動演出部とが略一致するタイミングで可動するとともに、該流路変更可動部の動きと該可動演出部の動きとによって、特有のポーズをすることでチャンスの到来を示唆しうるキャラクタ体であって、前記キャラクタ体が前記特有のポーズをすることで遊技者に該キャラクタ体に注目させて、前記遊技媒体が前記当り口に受け入れられるチャンスの到来を示唆しうるようにしたものである。
請求項２に記載の遊技機は、請求項１に記載の遊技機において、前記可動役物は、少なくとも顔部、腕部および足部を有し、身長が伸び縮みする方向にスライドするとともに、前記顔部（顔５４２）、前記腕部（腕５４１）および前記足部（足５３４）の全てが略一致するタイミングで可動することによって前記特有のポーズをすることによって、遊技者に前記キャラクタ体に注目させるようにしたものである。
請求項３に記載の遊技機は、請求項１または２に記載の遊技機において、前記主基板から送信される制御コマンドに応じて、少なくとも前記可動役物の前記可動演出部の可動を制御する周辺基板（周辺基板３１１）をさらに備えることによって、前記主基板の負荷を高めることなく前記キャラクタ体に様々なポーズをさせることができるようにしたものである。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
旋回操作に応じて圃場を旋回走行しうる機体と、この機体に対して昇降可能に支持されて作業位置で圃場作業をするとともに均平整地用のフロートを備えた作業部と、この作業部について旋回操作の検出に応じて非作業位置への上昇、作業位置への下降の各動作を旋回走行過程の所定のタイミングで動作制御する制御部とを備えた圃場走行作業用農作業車において、
旋回走行過程における所定の下降位置（Ｎ１）に到達したにも拘らず、下降しない場合は警報出力する構成とすることを特徴とする圃場走行作業用農作業車。
【請求項２】
上記作業部のフロートに圃場作業対象となる土壌の高さ位置を感度調節可能に検出するフロートセンサを設け、このフロートセンサの感度と連動して上記作業部の下降動作のタイミングを変更することを特徴とする請求項１に記載の圃場走行作業用農作業車。
【手続補正２】
【補正対象書類名】明細書
【補正対象項目名】０００５
【補正方法】変更
【補正の内容】
【０００５】
解決しようとする問題点は、圃場の往復作業走行の折返し部に来た際に、農作業装置の下降タイミングの調節を含む作業部の取扱いを要することなく、また旋回操作の検出に応じて非作業位置への上昇、作業位置への下降の各動作の一連の処理における動作異状に対してはオペレータの対応が可能となるようにすると共に、土壌の硬度に応じた機器制御により旋回走行跡の荒れに適切に対処することができる圃場走行作業用農作業車を提供することにある。
【手続補正３】
【補正対象書類名】明細書
【補正対象項目名】０００６
【補正方法】変更
【補正の内容】
【０００６】
請求項１に係る発明は、旋回操作に応じて圃場を旋回走行しうる機体と、この機体に対して昇降可能に支持されて作業位置で圃場作業をするとともに均平整地用のフロートを備えた作業部と、この作業部について旋回操作の検出に応じて非作業位置への上昇、作業位置への下降の各動作を旋回走行過程の所定のタイミングで動作制御する制御部とを備えた圃場走行作業用農作業車において、旋回走行過程における所定の下降位置（Ｎ１）に到達したにも拘らず、下降しない場合は警報出力する構成とすることを特徴とする。
請求項２に係る発明は、請求項１に係る発明において、上記作業部のフロートに圃場作業対象となる土壌の高さ位置を感度調節可能に検出するフロートセンサを設け、このフロートセンサの感度と連動して上記作業部の下降動作のタイミングを変更することを特徴とする。
【手続補正４】
【補正対象書類名】明細書
【補正対象項目名】０００８
【補正方法】変更
【補正の内容】
【０００８】
本発明の圃場走行作業用農作業車は以下の効果を奏する。
請求項１の発明により、上記機体はオペレータの旋回操作に応じて圃場を旋回走行し、制御部は上記旋回操作の検出に応じて作業部の非作業位置への上昇、作業位置への下降の各動作を機体旋回走行過程の所定のタイミングで動作制御する。旋回走行過程における所定の下降位置（Ｎ１）に到達したにも拘らず、下降しない場合は警報出力するので、旋回操作の検出に応じて非作業位置への上昇、作業位置への下降の各動作の一連の処理における動作異状に対してはオペレータの対応が可能となる。
請求項２の発明により、請求項１の発明の効果に加えて、作業部のフロートに設けたフロートセンサは圃場作業対象となる土壌までの高さ位置を感度調節可能に検出し、このフロートセンサの設定感度と連動して作業部の下降動作のタイミングが変更され、そのタイミングで作業部のフロートが下降動作して旋回走行跡を均平整地する。
【手続補正書】
【提出日】平成21年9月10日(2009.9.10)
【手続補正１】
【補正対象書類名】明細書
【補正対象項目名】特許請求の範囲
【補正方法】変更
【補正の内容】
【特許請求の範囲】
【請求項１】
大当たりを示す大当たり図柄配列を図柄停止ラインに形成すると遊技者に大当たり遊技を付与する遊技機であって、
それぞれが、複数の図柄からなる図柄群が変動表示され、若しくは、所定の図柄が停止表示される複数の図柄表示部を含む図柄表示領域を備え、前記複数の図柄表示部を用いて複数の前記図柄停止ラインが形成される表示手段と、
前記複数の図柄表示部の少なくとも一部の図柄表示部に、組み合わせることによって前記大当たり図柄配列を形成可能な図柄を停止表示させる制御を、前記複数の図柄停止ラインにおいて、いずれの図柄停止ラインにも前記大当たり図柄配列を形成させないようして行う第１ステップと、
前記第１ステップ後、前記図柄表示部に停止表示された前記大当たり図柄配列を形成可能な図柄を、前記図柄表示領域内において移動させる第２ステップと、を実現可能な制御手段と、
を備える、遊技機。
【請求項２】
請求項１に記載の遊技機であって、
前記制御手段は、
前記第１ステップにおいて、前記複数の図柄表示部の少なくとも一部の図柄表示部に、組み合わせることによって前記大当たり図柄配列を形成可能な図柄を停止表示させる制御と、前記少なくとも一部の図柄表示部以外の図柄表示部に図柄を停止表示させる制御とを、前記複数の図柄停止ラインにおいて、いずれの図柄停止ラインにも前記大当たり図柄配列を形成させないようして行う、
遊技機。
【請求項３】
請求項１または請求項２に記載の遊技機であって、
前記制御手段は、
前記第２ステップ後、前記図柄表示領域内を移動させた前記図柄を用いて、前記図柄停止ラインに、リーチ状態を示すリーチ図柄配列、若しくは、前記大当たり図柄配列を形成させる、
遊技機。
【請求項４】
請求項１ないし請求項３のいずれかに記載の遊技機であって、
前記制御手段は、
前記第２ステップにおいて、前記少なくとも一部の図柄表示部に停止表示された前記大当たり図柄配列を形成可能な前記図柄を、前記図柄表示領域内において移動させる場合には、前記図柄表示領域上で回転させるように移動させる、
遊技機。
【請求項５】
請求項１ないし請求項４のいずれかに記載の遊技機であって、
前記制御手段は、
前記第１ステップおよび前記第２ステップを、連続して複数回行う、
遊技機。
【手続補正２】
【補正対象書類名】明細書
【補正対象項目名】００１０
【補正方法】変更
【補正の内容】
【００１０】
【課題を解決するための手段５】また、課題を解決するための手段５は、請求項５に記載した通りである。当該手段５によれば、表示図柄の位置の移動は所定の領域内で行われるため、表示図柄の移動に関して遊技者に斬新な印象を与えることができる。
本発明の遊技機は、大当たりを示す大当たり図柄配列を図柄停止ラインに形成すると遊技者に大当たり遊技を付与する遊技機であり、
それぞれが、複数の図柄からなる図柄群が変動表示され、若しくは、所定の図柄が停止表示される複数の図柄表示部を含む図柄表示領域を備え、前記複数の図柄表示部を用いて複数の前記図柄停止ラインが形成される表示手段と、
前記複数の図柄表示部の少なくとも一部の図柄表示部に、組み合わせることによって前記大当たり図柄配列を形成可能な図柄を停止表示させる制御を、前記複数の図柄停止ラインにおいて、いずれの図柄停止ラインにも前記大当たり図柄配列を形成させないようして行う第１ステップと、
前記第１ステップ後、前記図柄表示部に停止表示された前記大当たり図柄配列を形成可能な図柄を、前記図柄表示領域内において移動させる第２ステップと、を実現可能な制御手段と、を備えるようにしてもよい。
また、前記制御手段は、
前記第２ステップにおいて、前記図柄表示部に停止表示された前記大当たり図柄配列を形成可能な図柄を、前記図柄表示領域内において移動させる場合には、当該図柄を、前記図柄表示領域内であって、当該図柄が停止表示されていた前記少なくとも一部の図柄表示部のうちの一つ以上の図柄表示部を含む領域内で移動させるようにしてもよい。
【手続補正書】
【提出日】平成21年9月10日(2009.9.10)
【手続補正１】
【補正対象書類名】明細書
【補正対象項目名】特許請求の範囲
【補正方法】変更
【補正の内容】
【特許請求の範囲】
【請求項１】
大当たりを示す大当たり図柄配列を停止表示させることにより遊技者に大当たり遊技を付与可能な遊技機であって、
それぞれが、複数の図柄からなる図柄群が変動表示され、若しくは、所定の図柄が停止表示される複数の変動領域であって、第１の変動領域と、第２の変動領域とを少なくとも含む複数の変動領域が形成される表示部と、
遊技球が所定領域を通過したことに起因して、前記複数の変動領域のうち前記第１の変動領域および前記第２の変動領域以外の他の変動領域に、所定の図柄を停止表示させる制御と、前記第１の変動領域に、前記他の変動領域に停止表示された前記所定の図柄と前記大当たり図柄配列を構成し得ない図柄を停止表示させる制御とを行った後、前記第２の変動領域に、前記第１の変動領域に停止表示された図柄と前記大当たり図柄配列を構成し得る図柄を停止表示させる制御を行うことにより、第１のリーチ図柄配列を形成させる第１のステップと、
前記第１のリーチ図柄配列を形成させた後、前記第２の変動領域に停止表示された図柄を、前記他の変動領域に表示させることによって、前記第１のリーチ図柄配列を構成する図柄を用いた第２のリーチ図柄配列を形成させると共に、前記第２の変動領域において前記図柄群を再び変動表示させる制御を行う第２のステップと、を実現可能な制御手段と、
を備える、遊技機。
【請求項２】
請求項１に記載の遊技機であって、
前記制御手段は、
前記第２のステップにおいて、前記第１のリーチ図柄配列を形成させた後、前記第２の変動領域で前記複数の図柄を再び変動表示させ、その後、前記第１のステップで前記第２の変動領域に停止表示された前記図柄を前記他の変動領域に表示させることにより前記第２のリーチ図柄配列を形成させる、
遊技機。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
データライン、ゲートライン、並びに前記データライン及び前記ゲートラインに接続されたピクセルを含むディスプレイパネルと、
制御信号と画像データ信号とを出力するタイミングコントローラと、
前記タイミングコントローラからの一群の制御信号及び前記画像データ信号に応答して前記データラインを駆動するデータドライバと、
前記タイミングコントローラからの他群の制御信号に応答して前記ゲートラインを駆動するゲートドライバと、
パワーオン時、所定時間の間前記データラインが駆動されないように前記データドライバを制御する制御回路とを含むことを特徴とするディスプレイ装置。
【請求項２】
前記タイミングコントローラから出力される前記制御信号は、
前記画像データ信号が前記データラインに供給される時点を示す第１ラインラッチ信号を含むことを特徴とする請求項１に記載のディスプレイ装置。
【請求項３】
前記制御回路は、
前記データドライバを制御するための第２ラインラッチ信号を出力することを特徴とする請求項１または２のいずれかに記載のディスプレイ装置。
【請求項４】
前記制御回路は、
前記パワーオン後、前記所定時間の間所定レベルの前記第２ラインラッチ信号を出力することを特徴とする請求項３に記載のディスプレイ装置。
【請求項５】
前記制御回路は、
前記パワーオンの開始後で前記所定時間の経過後、前記タイミングコントローラからの前記第１ラインラッチ信号を前記第２ラインラッチ信号として出力することを特徴とする請求項４に記載のディスプレイ装置。
【請求項６】
前記制御回路は、
外部から供給された電源電圧を遅延させて出力する遅延回路と、
前記遅延回路によって遅延された電源電圧を反転させるインバータと、
前記インバータの出力及び前記タイミングコントローラからの前記第１ラインラッチ信号が入力されて、前記第２ラインラッチ信号を出力するロジック回路とを含むことを特徴とする請求項５に記載のディスプレイ装置。
【請求項７】
前記ロジック回路はＯＲゲートであることを特徴とする請求項６に記載のディスプレイ装置。
【請求項８】
前記制御回路は、
外部から供給された電源電圧と一端が接続された第１抵抗と、
前記第１抵抗の他端と接地電圧との間に接続された容量と、
前記電源電圧と一端が接続された第２抵抗と、
前記第２抵抗の他端と前記接地電圧との間に接続された電流通路及び前記第１抵抗の前記他端と接続されたゲートを有するトランジスタと、
前記第２抵抗の前記他端と接続された入力端及び出力端を有する第１ダイオードと、
前記タイミングコントローラからの前記第１ラインラッチ信号と接続された入力端及び出力端を有する第２ダイオードとを含み、
前記第１及び第２ダイオードそれぞれの前記出力端は共通に接続され、前記第１及び第２ダイオードそれぞれの前記出力端は前記第２ラインラッチ信号を出力することを特徴とする請求項７に記載のディスプレイ装置。
【請求項９】
前記データドライバは、
水平開始信号に同期してクロック信号をシフトするシフトレジスタと、
前記シフトレジスタから出力されるクロック信号に応答して前記タイミングコントローラからの前記画像データ信号を蓄積するデータレジスタと、
前記制御回路からの前記第２ラインラッチ信号に応答して前記データレジスタに蓄積された前記画像データ信号をラッチするラッチと、
前記ラッチから出力される前記画像データ信号をアナログ画像信号に変換するデジタル−アナログコンバータと、
前記第１ラインラッチ信号に応答して前記デジタル−アナログコンバータからの前記アナログ画像信号を前記データラインに出力する出力バッファとを含むことを特徴とする請求項３に記載のディスプレイ装置。
【請求項１０】
画像データ信号に応答してデータラインを駆動するデータドライバを含むディスプレイ装置の動作方法において
パワーオンする段階と、
所定時間の間前記データドライバをリセットする段階とを含むことを特徴とするディスプレイ装置の動作方法。
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
少なくとも一層の屈折率１．２８〜１．４８の層のうち透明支持体からもっとも遠くに位置する層が、少なくとも以下の成分を含有する塗布組成物を塗設することにより形成されていることを特徴とする反射防止フイルム。
（Ａ）１分子中に少なくとも２個以上のエチレン性不飽和基を含有する電離放射線硬化性化合物
（Ｂ）導電性金属酸化物被覆層を有する、多孔質無機微粒子または内部に空洞を有する微粒子
（Ｄ）少なくとも１種の電離放射線硬化型の含フッ素防汚剤
（含フッ素防汚剤は以下の一般式（Ｆ−１）〜（Ｆ−３）から選ばれる少なくとも１種である。）
一般式（Ｆ−１）：
Ｒｆ（ＣＦ2ＣＦ2）nＣＨ2ＣＨ2Ｒ2ＯＣＯＣＲ1＝ＣＨ2
（式中、Ｒｆは、炭素数が１〜１０であるフルオロアルキル基のいずれかを示し、Ｒ1は水素原子またはメチル基を示し、Ｒ2は単結合またはアルキレン基を示し、ｎは重合度を示す整数であり、重合度ｎはｋ（ｋは３以上の整数のいずれかを示す）以上である。）
一般式（Ｆ−２）：
Ｆ（ＣＦ2）nＯ（ＣＦ2ＣＦ2Ｏ）ｍＣＦ2ＣＨ2ＯＣＯＣＲ＝ＣＨ2
一般式（Ｆ−２）中、Ｒは水素原子またはメチル基であり、ｍは１〜６の整数であり、ｎは１〜４の整数を表す。
一般式（Ｆ−３）：
（Ｒｆ）− [（Ｗ）−（ＲＡ）ｎ]ｍ
（一般式（Ｆ−３）中、Ｒｆは（パー）フルオロポリエーテル基、Ｗは連結基、ＲＡは（メタ）アクリル基を表す。ｎは１〜３、ｍは１〜３の整数を表し、ｎとｍは同時に１であることはない。）
【請求項２】
前記化合物（Ａ）が、パーフルオロオレフィン重合単位及び（メタ）アクリロイル基含有重合単位をそれぞれ少なくとも１種含有する含フッ素ポリマーであることを特徴とする、請求項１に記載の反射防止フイルム。
【請求項３】
含フッ素防汚剤が一般式（Ｆ−３）で表される化合物であることを特徴とする、請求項１または２に記載の反射防止フイルム。
【請求項４】
前記多孔質無機微粒子または内部に空洞を有する微粒子（Ｂ）が酸化アンチモン被覆層を有するシリカ系微粒子であることを特徴とする請求項１〜３のいずれかに記載の反射防止フイルム。
【請求項５】
前記多孔質無機微粒子または内部に空洞を有する微粒子（Ｂ）が多孔質シリカ系微粒子または内部に空洞を有するシリカ系微粒子であることを特徴とする請求項１〜４のいずれかに記載の反射防止フイルム。
【請求項６】
前記多孔質無機微粒子または内部に空洞を有する微粒子（Ｂ）が、導電性金属酸化物被覆層の上にシリカ被覆層、または下記一般式（３）で表されるオルガノシランの加水分解物及び／又はその部分縮合物により表面処理されたシリカ被覆層を持つことを特徴とする、請求項１〜５のいずれかに記載の反射防止フイルム。
一般式（３）：  （Ｒ３０）ｍ１Ｓｉ（Ｘ３１）４−ｍ１（一般式（３）中、Ｒ３０は、置換もしくは無置換のアルキル基又は、置換もしくは無置換のアリール基を表す。Ｘ３１は水酸基又は加水分解可能な基を表す。ｍ１は１〜３の整数を表す。）
【請求項７】
前記多孔質無機微粒子または内部に空洞を有する微粒子（Ｂ）の屈折率が１．３５〜１．６０の範囲にあり、体積抵抗値が１０〜５０００Ω／ｃｍの範囲にあることを特徴とする請求項１〜６のいずれかに記載の反射防止フイルム。
【請求項８】
前記多孔質無機微粒子または内部に空洞を有する微粒子（Ｂ）の平均粒子径が５〜３００ｎｍの範囲にあり、導電性金属酸化物被覆層の厚さが０．５〜３０ｎｍの範囲にあることを特徴とする請求項１〜７のいずれかに記載の反射防止フイルム。
【請求項９】
前記塗布組成物が、さらに
（Ｃ）下記一般式（Ｉ）で表されるポリシロキサン部分構造を含有する化合物を有することを特徴とする請求項１〜８のいずれかに記載の反射防止フイルム。
一般式（Ｉ）
【化１】
2007114772.tif 000001
｛一般式（Ｉ）中、Ｒ１及びＲ２は同一であっても異なっていてもよく、アルキル基又はアリール基を表す。ｐは１０〜５００の整数を表す。｝
【請求項１０】
前記１分子中に少なくとも２個以上のエチレン性不飽和基を含有する電離放射線硬化性化合物（Ａ）が、下記一般式（１）で表されることを特徴とする、請求項１〜９のいずれかに記載の反射防止フイルム。
一般式（１）：
【化２】
2007114772.tif 000002
｛一般式（１）中、Ｌ１１は炭素数１〜１０の連結基を表し、ｓ１は０又は１を表す。Ｒ１１は水素原子又はメチル基を表す。Ａ１１は側鎖に水酸基を持つ繰り返し単位を表す。Ｙ１１はポリシロキサン構造を主鎖に含む構成成分を表わす。ｘ、ｙ、及びｚは、Ｙ１１以外の全繰返し単位を基準とした場合のそれぞれの繰返し単位のモル％を表し、３０≦ｘ≦６０、３０≦ｙ≦７０、０≦ｚ≦４０を満たす値を表す。ただし、ｘ＋ｙ＋ｚ＝１００（モル％）である。ｕは共重合体中の構成成分Ｙ１１の質量％を表し、０．０１≦ｕ≦２０である。｝
【請求項１１】
前記１分子中に少なくとも２個以上のエチレン性不飽和基を含有する電離放射線硬化性化合物（Ａ）が、下記一般式（２）で表されることを特徴とする、請求項１〜９のいずれかに記載の反射防止フイルム。
一般式（２）：
【化３】
2007114772.tif 000003
｛一般式（２）中、Ｒｆ２１は炭素数１〜５のペルフルオロアルキル基を表し、Ｒｆ２２は炭素数１〜３０の直鎖、分岐又は脂環構造を有する含フッ素アルキル基を表し、エーテル結合を有していてもよく、Ａ２１は架橋反応に関与し得る反応性基を有する構成単位を表し、Ｂ２１は任意の構成成分を表す。Ｒ２１及びＲ２２は、同一であっても異なっていてもよく、アルキル基又はアリール基を表す。ｐ１は１０〜５００の整数を表す。Ｒ２３〜Ｒ２５は、互いに独立に、置換又は無置換の１価の有機基又は水素原子を表し、Ｒ２６は水素原子又はメチル基を表わす。Ｌ２１は炭素数１〜２０の任意の連結基又は単結合を表す。ａ〜ｄはそれぞれポリシロキサンを含有する重合単位を除く各構成成分のモル分率（％）を表し、それぞれ１０≦ａ＋ｂ≦５５、１０≦ａ≦５５、０≦ｂ≦４５、１０≦ｃ≦５０、０≦ｄ≦４０の関係を満たす値を表す。ｅはポリシロキサンを含有する重合単位の、他の成分全体の質量に対する質量分率（％）を表し、０．０１＜ｅ＜２０の関係を満たす。｝
【請求項１２】
請求項１〜１１のいずれかに記載の反射防止フイルムを、少なくとも一方の側に備えたことを特徴とする偏光板。
【請求項１３】
請求項１〜１１のいずれかに記載の反射防止フイルム及び請求項１２に記載の偏光板のうちの少なくとも一つが配置されていることを特徴とする画像表示装置。